(57)【特許請求の範囲】
【請求項１】
エラー統計データの読み出し方法であって、
前記エラー統計データは、マイクロシンクロナスパラレル動作で動作されかつ場合によっては二重化されたスイッチングマトリックス（ＳＮ０，ＳＮ１）に接続される二重化されたＡＴＭ情報処理ユニット（ＣＴＲ０，ＣＴＲ１）において発生され、
さらにマイクロシンクロナスパラレル動作を発生するために、前記処理ユニットは、それぞれ受信された処理すべきＡＴＭ情報にエラーが無い場合及び送出すべき情報処理結果にエラーが無い場合に相応の処理フェーズを特徴づける同期信号（ＲＳＯ）をパートナーユニットに送出し、前記同期信号に前記パートナーユニットの処理フェーズの開始を同期させ、前記パートナーユニット側からの同期信号が欠如している場合には当該処理ユニットはＡＴＭ情報を正しく受信した場合でも妨害されたＡＴＭ情報を受信した場合のように情報処理をストップし乃至は情報処理結果が妨害されていない場合でもその代わりにブランク情報を送出し、
さらに前記処理ユニットはバスインターフェース（Ｓ−Ｉ）を介して中央制御ユニット（ＬＣ）に接続されており、該中央制御ユニット（ＬＣ）はとりわけ該中央制御ユニットに到着する統計データを評価し、
１つのスイッチングマトリックス部分から到来する情報は２つの前記処理ユニットに到着し、１つの該処理ユニットから送信される情報は全ての存在する前記スイッチングマトリックス部分に供給され、
前記処理ユニットのマイクロシンクロナス動作を監視するために、これらの処理ユニットからそれぞれ前記バスインターフェースを介して送出される情報が一致するかどうかを比較する、エラー統計データの読み出し方法において、
前記処理ユニット（ＣＴＲ０，ＣＴＲ１）の前記エラー統計データを前記処理結果のようにＡＴＭ送信セルに挿入し、該ＡＴＭ送信セルを前記スイッチングマトリックス（ＳＮ０，ＳＮ１）に送信し、さらに前記ＡＴＭ送信セルをその本来の位置にアドレス指定し、このため前記ＡＴＭ送信セルは相応の導通スイッチングの後でＡＴＭ受信セルとして再び当該処理ユニットに到着しさらに他のＡＴＭ情報のように所属の前記バスインターフェース（Ｂ-Ｉ）を介して前記中央制御ユニット（ＬＣ）に到着することを特徴とするエラー統計データの読み出し方法。
【請求項２】
処理ユニット（ＣＴＲ０，ＣＴＲ１）のアクティブ/スタンバイ動作において、スタンバイ状態にある前記処理ユニットがＡＴＭ情報セルでブランク情報を送信し、この処理ユニットによる統計データの送信は次のことによって引き起こされる、すなわち、
上位レベル制御部から供給され前記処理ユニットのスタンバイ動作を決定する外部制御コマンドビットと一致するか又は一致しないかの検出に応じてブランク情報を有するＡＴＭセルの送信を実施させる内部制御コマンドビットが意図的に前記統計データを挿入されるＡＴＭセルにおいて前記スタンバイ動作にある状態と比べて反転されることによって、前記処理ユニットによる前記統計データの送信は引き起こされることを特徴とする請求項１記載の方法。
【発明の詳細な説明】
本発明は請求の範囲第１項の上位概念記載のエラー統計データの読み出し方法に関する。
従って、マイクロシンクロナスパラレル動作で動作される二重化されたＡＭＴ情報処理ユニットにおいて発生するエラー統計データの読み出し方法を問題とする。この場合、これら処理ユニットは場合によっては二重化されたスイッチングマトリックスに接続されている。これら処理ユニットは、マイクロシンクロナスパラレル動作を発生するためにそれぞれ処理すべき受信情報乃至は送信すべき情報処理結果にエラーが無い場合に相応の処理フェーズを特徴づける同期信号をパートナーユニットに送出し、この同期信号にこのパートナーユニットの処理フェーズの開始が同期される。しかし、パートナーユニット側からの同期信号が欠如している場合には当該処理ユニットは情報を正しく受信している場合でも妨害された情報を受信した場合のように情報処理をストップする、すなわち受信した情報を拒否する。相応のことは送信方向においても当てはまる。この場合、妨害されていない情報処理結果が存在してもその代わりにブランク情報が送出される。
処理ユニットはバスインターフェースを介して中央制御ユニットに接続されている。この中央制御ユニットはとりわけ処理ユニットのマイクロシンクロナス動作の監視のためにこれら処理ユニットに到着する情報を相互に比較する。
ここで記述された状況では、二重化された処理ユニットにおいて異なるエラー状況が発生しうる。この結果エラー統計も異なるものになるが、マイクロシンクロナスパラレル動作はこれによって妨害されるべきではない。
もしこれらエラー統計データが評価のためにＡＴＭ情報のように直接上述のバスインターフェースを介して読み出され比較されるならば、高い蓋然性で不一致が、すなわち誤ってマイクロシンクロナイゼーションの損失がシグナリングされるだろう。
よって、本発明の課題は、この効果が発生することなしにエラー統計データの読み出しを可能にする方法を提供することである。しかもこの方法の実施には付加的なハードウェアコストが必要なく、ほんの僅かな付加的な制御コストのみが必要となるようにすることである。
上記課題は請求の範囲第１項の特徴部分記載の構成によって解決される。
これによれば、本発明の解決策によって結果的にエラー統計データはＡＴＭ情報の情報処理の結果のように処理ユニットによって取り扱われることになる。しかし、この場合これらのエラー統計データは、処理ユニットが接続されているＡＴＭ情報伝送用ネットワークに送出された後で処理すべきＡＴＭ情報のように再び戻し伝送され、さらにこの場合に前提となる二重化動作のために２つの処理ユニットに到着することになる。これに引き続いてバスインターフェースを介してそれぞれ２つの処理ユニットは一致するエラー統計データを同時に供給する。これらの一致するエラー統計データはそれぞれ処理ユニットのうちの１つに関連するものである。このため、２つの処理ユニットにおいて本質的に存在するエラー統計データの差異はマイクロシンクロナイゼーションの損失という誤ったシグナリングを引き起こさない。
本発明の別の実施形態は従属請求項に記載されている。これにより処理ユニットがアクティブ/スタンバイ動作で作動している場合にもエラー統計データの読み出しが可能となる。このアクティブ/スタンバイ動作の場合、スタンバイ状態にある処理ユニットはＡＴＭ情報セルでブランク情報を送信し、この処理ユニットの統計データも読み出すことが可能になる。しかもこの場合処理ユニットのアクティブ/スタンバイのチェンジが行われる必要はない。
次に本発明を実施例に基づいて図を参照しながら詳しく説明する。
図にはＡＴＭ情報を処理するための２つの処理ユニットＣＴＲ０及びＣＴＲ１が図示されている。これら処理ユニットはスイッチングマトリックスに接続されている。このスイッチングマトリックスは図示されているケースでは２つの部分ＳＮ０及びＳＮ１を有する。処理ユニットＣＴＲ０及びＣＴＲ１はＡＴＭ情報を伝送するための受信ラインＬｒ０，Ｌｒ１及び送信ライン０，Ｌｔ１のネットワークを介してスイッチングマトリックス部分ＳＮ０及びＳＮ１に次のようなやり方で接続されている。すなわち、各スイッチングマトリックス部分から到来するＡＴＭ情報が均等に一方の処理ユニットにももう一方の処理ユニットにも（処理ユニットの受信入力側ＲＰ０及びＲＰ１を介して）到着し、これらの処理ユニットから送出されるＡＴＭ情報が均等に送信出力側ＴＰ０及びＴＰ１を介して２つのスイッチングマトリックス部分ＳＮ０及びＳＮ１に供給されるようなやり方で接続されている。
処理ユニットＣＴＲ０及びＣＴＲ１はここではそれぞれ２つの処理コンポーネントＣ−ＡＴＭ３０及びＭ−ＡＴＭ３０を有する。これら２つの処理コンポーネントＣ−ＡＴＭ３０及びＭ−ＡＴＭ３０はいわゆるマスター・チェッカーコンフィグレーションで作動する。つまりチェッカー処理コンポーネントＣ−ＡＴＭ３０では送信出力側ＴＰ０及びＴＰ１が入力側として接続されている。これらの入力側は、それぞれ所属のマスター処理コンポーネントＭ−ＡＴＭ３０の送信出力側ＴＰ０及びＴＰ１から送信されまず第１にスイッチングマトリックス部分ＳＮ０乃至はＳＮ１にフォワーディングするように定められたＡＴＭ送信情報を入力情報として受信する。チェッカー処理コンポーネントのここには図示されていない内部コンパレータはこの経路で受信される入力信号を内部で出力信号として発生される信号と比較し、不一致が検出されると相応のエラーメッセージを送出する。
ここで記述されるマスター・チェッカーコンフィグレーションは勿論本発明の方法の使用のための前提条件ではない。
２つの処理ユニットＣＴＲ０及びＣＴＲ１の処理コンポーネントＣ−ＡＴＭ３０及びＭ−ＡＴＭ３０のブロック図を横切る鎖線によって、スイッチングマトリックス部分ＳＮ０及びＳＮ１から受信されるＡＴＭ情報が受信クロックＲＸＣＫ０/１によって発生すること及びこれらの情報の処理がこの受信クロックＲＸＣＫ０/１には依存しない内部システムクロックＳＣＬＫによって行われることが示されている。スイッチングマトリックス部分への情報送信はクロックＴＸＤ０乃至はＴＸＤ１によって行われる。処理ユニット乃至はこれら処理ユニットの処理コンポーネントはマイクロシンクロナスに作動するので、ＡＴＭ情報を一方のクロックシステムから他方のクロックシステムへと伝送するための特別な安全措置が講じられなければならない。これは、所属する処理コンポーネントの間で相互に同期信号ＭＳ０を交換することである。この同期信号ＭＳ０はそれぞれ同期入力信号ＭＳ１として作用する。さらに受信される情報はスイッチングマトリックス部分ＳＮ０及びＳＮ１から処理ユニットへの経路において別々に異なる伝送エラーを被るかもしれないし、情報処理結果自体がエラーしているかもしれない。これはここには図示されていない監視装置によって検出できるが、このような理由から、マイクロシンクロナス動作の維持のためにさらに別の手段を講じる必要がでてくる。このさらに別の手段とは次のことである。すなわち、それぞれ正しいＡＴＭ情報を受信した場合及びエラーのない情報処理結果が存在する場合に処理ユニットは固有の処理フェーズを特徴づける同期信号ＲＳＯを中央制御ユニットＬＣを介してパートナーユニットに送出し、この同期信号ＲＳＯを同期信号ＲＳＩとして受信し、この同期信号ＲＳＩにこのパートナーユニットの処理フェーズの開始を同期させること及び当該処理ユニットにおいてパートナーユニット側からの同期信号が欠如している場合にはＡＴＭ情報を正しく受信した場合でも妨害されたＡＴＭ情報を受信した場合のようにこの受信情報を拒否し、処理結果としてブランク情報を送出するようにすることである。この過程を制御するために中央制御ユニットから供給される制御信号ＲＳＤＩＲ及びＲＳＤＩＳが使用される。
処理ユニット乃至はこれら処理ユニットの処理コンポーネントのマイクロシンクロナスパラレル動作を保証するためのここに示された手段は同一の優先権を有するさらに別の特許出願の対象である。
内部システムクロックＳＣＬＫの制御下にある処理ユニットの処理コンポーネントの部分はバスインターフェースＢ-Ｉを有し、このバスインターフェースＢ-Ｉを介して中央制御部ＬＣに到達することができる。処理ユニット乃至はこれら処理ユニットの処理コンポーネントのマイクロシンクロナスパラレル動作を検査するために、受信されるＡＴＭ情報はリクエストに応じてこのバスインターフェースを介して中央制御部ＬＣに比較を実施するために供給される。
前述した伝送エラーならびに処理コンポーネントＣ−ＡＴＭ３０及びＭ−ＡＴＭ３０で検出されうる同期エラーのような他のエラーのためにそこにエラーカウンタをさらに接続することになる。それゆえエラー統計データが発生する。このエラー統計データの評価は同様に上述の中央制御部ＬＣの任務である。
２つの処理ユニットにおいては通常はこれらのエラー統計データは異なるので、上述したように比較へと導く上記バスインターフェースＢ-Ｉを介するこれらのエラー統計データのフォワーディングは、たとえそのような事態が全く存在しなくてもマイクロシンクロナイゼーションの損失のシグナリングを引き起こすだろう。
従って、本発明では、エラー統計データは、処理コンポーネントの情報処理の結果としてスイッチングマトリックス部分ＳＮ０乃至はＳＮ１へと送出されるＡＴＭ情報と同様に処理コンポーネントでＡＴＭ送信セルの中にパックされ、スイッチングマトリックス部分へ送出される。この特別なＡＴＭ送信セルのヘッダ部分への相応のエントリによってそれぞれこのセルを送出する処理コンポーネントへのアドレス指定が行われる。ヘッダ部分はこのＡＴＭセルの特別な性質を示すビットを含む。ここに記述された処理ユニットＣＴＲ０及びＣＴＲ１の二重化のために、統計データはスイッチングマトリックスによる相応のスイッチングの後でＡＴＭ受信セルとして２つの処理ユニットの全ての処理コンポーネントに同時に到着する。これらの処理コンポーネントへのエラーなしの伝送を前提とすれば、これらのセルは次にバスインターフェースＢ-Ｉを介してマイクロシンクロナスパラレル動作の検査のために処理される他のＡＴＭ受信セルのように読み出され、中央制御部による評価に供給される。しかもこの場合間違ってマイクロシンクロナイゼーションの損失がシグナリングされることはない。
２つの処理ユニットＣＴＲ０及びＣＴＲ１がアクティブ/スタンバイ動作で作動する場合、スタンバイ状態にある処理ユニットはＡＴＭ送信セルでブランク情報のみを送信する。処理ユニットのうちのどちらがアクティブ状態にあるのか及びどちらがスタンバイ状態にあるのかを決定することは、この場合上位レベル制御部から供給され処理ユニットに印加される制御ビットのバイナリ状態に依存する。ＡＴＭ送信セルの形成に関連する内部制御コマンドビットは、通常動作では上位レベル制御部から供給される上述の外部制御コマンドビットと同一のバイナリ値を有し、この結果ＡＴＭ情報を有するＡＴＭ送信セルが形成される。これに対して、この内部制御コマンドビットはスタンバイ動作で作動中の処理ユニットにおいてこの処理ユニットを制御する外部制御コマンドビットとは正反対のバイナリ値を有し、この結果上述のようにブランク情報を含むＡＴＭ送信セルが送信される。
この通常動作から逸脱すると、スタンバイ動作で作動中の処理ユニットにおいてＡＴＭ送信セルでエラー統計データを意図的に送信する場合にこのセルを形成するにあたって意図的に上述の制御コマンドビットが反転され、この結果他の状態からスタンバイ動作に変移したこの処理ユニットはこのような統計データで充填されたＡＴＭ送信セルを送信する。従って、上位レベル制御部によって上述の外部制御コマンドビットを用いてアクティブ動作からスタンバイ動作へ切り換えることは必要ない。
0003786702.tif 000002